(57)【特許請求の範囲】
【請求項１】
装置であって、
少なくとも１つのプロセッサと、
コンピュータプログラムコードを含む少なくとも１つのメモリと
を備え、
前記装置は、通信ネットワークに第３世代パートナーシッププロジェクトアクセスを介して及び非第３世代パートナーシッププロジェクトアクセスを介して同時に登録されており、
前記少なくとも１つのメモリ及び前記コンピュータプログラムコードは、前記少なくとも１つのプロセッサとともに、前記装置に、少なくとも、
前記第３世代パートナーシッププロジェクトアクセス上で、前記非第３世代パートナーシッププロジェクトアクセスに関する通知メッセージを受信させる
ように構成され、
前記装置が前記非第３世代パートナーシッププロジェクトアクセス上で接続管理−アイドル状態にあり、
前記装置が前記第３世代パートナーシッププロジェクトアクセス上で接続管理−接続状態にある場合に、前記通知メッセージが非アクセス層シグナリングメッセージを含む、
装置。
【請求項２】
前記装置が前記第３世代パートナーシッププロジェクトアクセス上で接続管理−アイドル状態にある場合かつ前記非第３世代パートナーシッププロジェクトアクセス上で接続管理−アイドル状態にある場合に、前記通知メッセージがページングメッセージを含む、請求項１に記載の装置。
【請求項３】
前記通知メッセージが、活性化されるパケットデータユニットセッションに関して受信される、請求項１に記載の装置。
【請求項４】
活性化されるパケットデータユニットセッションに関する表示が、前記通知メッセージに含まれる、請求項１に記載の装置。
【請求項５】
装置であって、
少なくとも１つのプロセッサと、
コンピュータプログラムコードを含む少なくとも１つのメモリと
を備え、
前記装置は、通信ネットワークに第３世代パートナーシッププロジェクトアクセスを介して及び非第３世代パートナーシッププロジェクトアクセスを介して同時に登録されており、
前記少なくとも１つのメモリ及び前記コンピュータプログラムコードが、前記少なくとも１つのプロセッサとともに、前記装置に、少なくとも、
前記非第３世代パートナーシッププロジェクトアクセス上で、前記第３世代パートナーシッププロジェクトアクセスに関する通知メッセージを受信させ、前記装置が前記第３世代パートナーシッププロジェクトアクセス上で接続管理−アイドル状態にありかつ前記非第３世代パートナーシッププロジェクトアクセス上で接続管理−接続状態にあり、
前記第３世代パートナーシッププロジェクトアクセス上で、サービスリクエストメッセージを送信させる
ように構成された、装置。
【請求項６】
前記通知メッセージが、活性化されるパケットデータユニットセッションに関して受信される、請求項５に記載の装置。
【請求項７】
活性化されるパケットデータユニットセッションに関する表示が、前記通知メッセージに含まれる、請求項５に記載の装置。
【請求項８】
方法であって、
第３世代パートナーシッププロジェクトアクセス上で、非第３世代パートナーシッププロジェクトアクセスに関し、通信ネットワークに前記第３世代パートナーシッププロジェクトアクセスを介して及び前記非第３世代パートナーシッププロジェクトアクセスを介して同時に登録されているユーザ機器に関連する通知メッセージを受信するステップ
を備え、
前記ユーザ機器が前記非第３世代パートナーシッププロジェクトアクセス上で接続管理−アイドル状態にあり、
前記ユーザ機器が前記第３世代パートナーシッププロジェクトアクセス上で接続管理−接続状態にある場合に、前記通知メッセージが非アクセス層シグナリングメッセージを含む、
方法。
【請求項９】
前記ユーザ機器が前記第３世代パートナーシッププロジェクトアクセス上で接続管理−アイドル状態にある場合かつ前記非第３世代パートナーシッププロジェクトアクセス上で接続管理−アイドル状態にある場合に、前記通知メッセージがページングメッセージを含む、請求項８に記載の方法。
【請求項１０】
前記通知メッセージが、活性化されるパケットデータユニットセッションに関して受信される、請求項８に記載の方法。
【請求項１１】
活性化されるパケットデータユニットセッションに関する表示が、前記通知メッセージに含まれる、請求項８に記載の方法。
【請求項１２】
方法であって、
非第３世代パートナーシッププロジェクトアクセス上で、第３世代パートナーシッププロジェクトアクセスに関し、通信ネットワークに前記第３世代パートナーシッププロジェクトアクセスを介して及び前記非第３世代パートナーシッププロジェクトアクセスを介して同時に登録されているユーザ機器に関連する通知メッセージを受信するステップであって、前記ユーザ機器が前記第３世代パートナーシッププロジェクトアクセス上で接続管理−アイドル状態にありかつ前記非第３世代パートナーシッププロジェクトアクセス上で接続管理−接続状態にある、ステップと、
前記第３世代パートナーシッププロジェクトアクセス上で、サービスリクエストメッセージを送信するステップと
を備える、方法。
【請求項１３】
前記通知メッセージが、活性化されるパケットデータユニットセッションに関して受信される、請求項１２に記載の方法。
【請求項１４】
活性化されるパケットデータユニットセッションに関する表示が、前記通知メッセージに含まれる、請求項１２に記載の方法。
【発明の詳細な説明】
【技術分野】
【０００１】
例示の実施形態は、概略として、通信ネットワークにおけるユーザ機器（ＵＥ）の登録に関する。
【背景技術】
【０００２】
通信アクセスネットワークでは、ユーザ機器（ＵＥ）は、データ通信を行う前にネットワークに登録しなければならない。登録処理は、サービスプロバイダに対してネットワークの整合性を保護しつつ、ＵＥに対してデータ通信のセキュリティを保障する。  
【発明の概要】
【０００３】
少なくとも１つの例示の実施形態は、通信ネットワークにおけるネットワークノードに向けられる。
【０００４】
一実施形態では、ネットワークノードは、少なくとも１つのプロセッサと、少なくとも１つのプロセッサによって実行されると、ネットワークノードに、第３世代パートナーシッププロジェクト（３ＧＰＰ）アクセス上で、非３ＧＰＰアクセスに関する通知メッセージをユーザ機器へ送信させる命令を記憶する少なくとも１つのメモリとを備え、ユーザ機器は通信ネットワークに３ＧＰＰアクセスを介して及び非３ＧＰＰアクセスを介して同時に登録され、前記ユーザ機器は非３ＧＰＰアクセス上で接続管理−アイドル状態にある。
【０００５】
一実施形態では、ユーザ機器が３ＧＰＰアクセス上で接続管理−アイドル状態にある場合にも、前記通知メッセージはページングメッセージを含む。
【０００６】
一実施形態では、ユーザ機器が３ＧＰＰアクセス上で接続管理−接続状態にある場合に、前記通知メッセージは非アクセス層シグナリングメッセージを含む。
【０００７】
少なくとも他の例示の実施形態は、ネットワークノードに向けられる。
【０００８】
一実施形態では、ネットワークノードは、少なくとも１つのプロセッサと、少なくとも１つのプロセッサによって実行されると、ネットワークノードに、非第３世代パートナーシッププロジェクト（３ＧＰＰ）アクセス上で、３ＧＰＰアクセスに関する通知メッセージをユーザ機器へ送信させ、ユーザ機器が通信ネットワークに３ＧＰＰアクセスを介して及び非３ＧＰＰアクセスを介して同時に登録され、前記ユーザ機器が３ＧＰＰアクセス上で接続管理−アイドル状態にありかつ非３ＧＰＰアクセス上で接続管理−接続状態にあり、３ＧＰＰアクセス上でサービスリクエストメッセージを受信させる命令を記憶する少なくとも１つのメモリとを備える。
【０００９】
少なくとも他の例示の実施形態は、ネットワークノードに向けられる。
【００１０】
一実施形態では、ネットワークノードは、少なくとも１つのプロセッサと、少なくとも１つのプロセッサによって実行されると、ネットワークノードに、ショートメッセージサービスのメッセージが複数のアクセスタイプを介してユーザ機器に配信可能であることを示す登録リクエストを受信させ、ショートメッセージサービスのメッセージが複数のアクセスタイプを介して配信されることが許可されることを確認する登録受入れメッセージを送信させる命令を記憶する少なくとも１つのメモリとを備える。
【００１１】
一実施形態では、複数のアクセスタイプは、第３世代パートナーシッププロジェクト（３ＧＰＰ）アクセス及び非３ＧＰＰアクセスを含む。
【００１２】
少なくとも他の例示の実施形態は、通信ネットワークにおけるユーザ機器に向けられる。
【００１３】
一実施形態では、ユーザ機器は、少なくとも１つのプロセッサと、少なくとも１つのプロセッサによって実行されると、ユーザ機器に、第３世代パートナーシッププロジェクト（３ＧＰＰ）アクセス上で、非３ＧＰＰアクセスに関する通知メッセージを受信させる命令を記憶する少なくとも１つのメモリとを備え、ユーザ機器は通信ネットワークに３ＧＰＰアクセスを介して及び非３ＧＰＰアクセスを介して同時に登録され、前記ユーザ機器は非３ＧＰＰアクセス上で接続管理−アイドル状態にある。
【００１４】
一実施形態では、ユーザ機器が３ＧＰＰアクセス上で接続管理−アイドル状態にある場合にも、前記通知メッセージはページングメッセージを含む。
【００１５】
一実施形態では、ユーザ機器が３ＧＰＰアクセス上で接続管理−接続状態にある場合に、前記通知メッセージは非アクセス層シグナリングメッセージを含む。
【００１６】
少なくとも他の例示の実施形態は、ユーザ機器に向けられる。
【００１７】
一実施形態では、ユーザ機器は、少なくとも１つのプロセッサと、少なくとも１つのプロセッサによって実行されると、ユーザ機器に、非第３世代パートナーシッププロジェクト（３ＧＰＰ）アクセス上で、３ＧＰＰアクセスに関する通知メッセージを受信させ、ユーザ機器が通信ネットワークに３ＧＰＰアクセスを介して及び非３ＧＰＰアクセスを介して同時に登録され、前記ユーザ機器が３ＧＰＰアクセス上で接続管理−アイドル状態にありかつ非３ＧＰＰアクセス上で接続管理−接続状態にあり、３ＧＰＰアクセス上で、サービスリクエストメッセージを送信させる命令を記憶する少なくとも１つのメモリとを備える。
【００１８】
少なくとも他の例示の実施形態は、ユーザ機器に向けられる。
【００１９】
一実施形態では、ユーザ機器は、少なくとも１つのプロセッサと、少なくとも１つのプロセッサによって実行されると、ユーザ機器に、ショートメッセージサービスのメッセージが複数のアクセスタイプを介してユーザ機器に配信可能であることを示す登録リクエストを送信させ、ショートメッセージサービスのメッセージが複数のアクセスタイプを介して配信されることが許可されることを確認する登録受入れメッセージを受信させる命令を記憶する少なくとも１つのメモリとを備える。
【００２０】
一実施形態では、複数のアクセスタイプは、第３世代パートナーシッププロジェクト（３ＧＰＰ）アクセス及び非３ＧＰＰアクセスを含む。
【００２１】
少なくとも他の例示の実施形態は、方法に向けられる。
【００２２】
一実施形態では、方法は、第３世代パートナーシッププロジェクト（３ＧＰＰ）アクセス上で、ネットワークノードの少なくとも１つの第１のプロセッサによって、非３ＧＰＰアクセスに関する通知メッセージをユーザ機器に送信するステップであって、ユーザ機器が通信ネットワークに３ＧＰＰアクセスを介して及び非３ＧＰＰアクセスを介して同時に登録される、ステップを備え、ユーザ機器が非３ＧＰＰアクセス上で接続管理−アイドル状態にある。
【００２３】
一実施形態では、ユーザ機器が３ＧＰＰアクセス上で接続管理−アイドル状態にある場合にも、前記通知メッセージはページングメッセージを含む。
【００２４】
一実施形態では、ユーザ機器が３ＧＰＰアクセス上で接続管理−接続状態にある場合に、前記通知メッセージは非アクセス層シグナリングメッセージを含む。
【００２５】
少なくとも他の例示の実施形態は、方法に向けられる。
【００２６】
一実施形態では、方法は、非第３世代パートナーシッププロジェクト（３ＧＰＰ）アクセス上で、ネットワークノードの少なくとも１つの第１のプロセッサによって、３ＧＰＰアクセスに関する通知メッセージをユーザ機器に送信するステップであって、ユーザ機器が通信ネットワークに３ＧＰＰアクセスを介して及び非３ＧＰＰアクセスを介して同時に登録され、前記ユーザ機器が３ＧＰＰアクセス上で接続管理−アイドル状態にありかつ非３ＧＰＰアクセス上で接続管理−接続状態にある、ステップと、３ＧＰＰアクセス上で、少なくとも１つの第１のプロセッサによって、サービスリクエストメッセージを受信するステップとを備える。
【００２７】
少なくとも他の例示の実施形態は、方法に向けられる。
【００２８】
一実施形態では、方法は、ネットワークノードの少なくとも１つの第１のプロセッサによって、ショートメッセージサービスのメッセージが複数のアクセスタイプを介してユーザ機器に配信可能であることを示す登録リクエストを受信するステップと、少なくとも１つの第１のプロセッサによって、ショートメッセージサービスのメッセージが複数のアクセスタイプを介して配信されることが許可されることを確認する登録受入れメッセージを送信するステップとを備える。
【００２９】
一実施形態では、複数のアクセスタイプは、第３世代パートナーシッププロジェクト（３ＧＰＰ）アクセス及び非３ＧＰＰアクセスを含む。
【００３０】
少なくとも他の例示の実施形態は、方法に向けられる。
【００３１】
一実施形態では、方法は、第３世代パートナーシッププロジェクト（３ＧＰＰ）アクセス上で、ユーザ機器の少なくとも１つの第１のプロセッサによって、非３ＧＰＰアクセスに関する通知メッセージを受信するステップであって、ユーザ機器が通信ネットワークに３ＧＰＰアクセスを介して及び非３ＧＰＰアクセスを介して同時に登録される、ステップ
を備え、ユーザ機器は非３ＧＰＰアクセス上で接続管理−アイドル状態にある。
【００３２】
一実施形態では、ユーザ機器が３ＧＰＰアクセス上で接続管理−アイドル状態にある場合にも、前記通知メッセージがページングメッセージを含む。
【００３３】
一実施形態では、ユーザ機器が３ＧＰＰアクセス上で接続管理−接続状態にある場合に、前記通知メッセージが非アクセス層シグナリングメッセージを含む。
【００３４】
少なくとも他の例示の実施形態は、方法に向けられる。
【００３５】
一実施形態では、方法は、非第３世代パートナーシッププロジェクト（３ＧＰＰ）アクセス上で、ユーザ機器の少なくとも１つの第１のプロセッサによって、３ＧＰＰアクセスに関する通知メッセージを受信するステップであって、ユーザ機器が通信ネットワークに３ＧＰＰアクセスを介して及び非３ＧＰＰアクセスを介して同時に登録され、前記ユーザ機器が３ＧＰＰアクセス上で接続管理−アイドル状態にありかつ非３ＧＰＰアクセス上で接続管理−接続状態にある、ステップと、３ＧＰＰアクセス上で、少なくとも１つの第１のプロセッサによって、サービスリクエストメッセージを送信するステップとを備える。
【００３６】
少なくとも他の例示の実施形態は、方法に向けられる。
【００３７】
一実施形態では、方法は、ユーザ機器の少なくとも１つの第１のプロセッサによって、ショートメッセージサービスのメッセージが複数のアクセスタイプを介してユーザ機器に配信可能であることを示す登録リクエストを送信するステップと、少なくとも１つの第１のプロセッサによって、ショートメッセージサービスのメッセージが複数のアクセスタイプを介して配信されることが許可されることを確認する登録受入れメッセージを受信するステップとを備える。
【００３８】
一実施形態では、複数のアクセスタイプは、第３世代パートナーシッププロジェクト（３ＧＰＰ）アクセス及び非３ＧＰＰアクセスを含む。
【００３９】
少なくとも１つの例示の実施形態は、コンピュータプログラムに向けられる。
【００４０】
一実施形態では、コンピュータプログラムは、装置に、少なくとも以下の、第３世代パートナーシッププロジェクト（３ＧＰＰ）アクセス上で、ネットワークノードの少なくとも１つの第１のプロセッサによって、非３ＧＰＰアクセスに関する通知メッセージをユーザ機器に送信するステップであって、ユーザ機器が通信ネットワークに３ＧＰＰアクセスを介して及び非３ＧＰＰアクセスを介して同時に登録され、ユーザ機器が非３ＧＰＰアクセス上で接続管理−アイドル状態にある、ステップを実行させるためのコンピュータ可読命令を含む。
【００４１】
一実施形態では、コンピュータプログラムは、装置に、少なくとも以下の、非第３世代パートナーシッププロジェクト（３ＧＰＰ）アクセス上で、ネットワークノードの少なくとも１つの第１のプロセッサによって、３ＧＰＰアクセスに関する通知メッセージをユーザ機器に送信するステップであって、ユーザ機器が通信ネットワークに３ＧＰＰアクセスを介して及び非３ＧＰＰアクセスを介して同時に登録され、前記ユーザ機器が３ＧＰＰアクセス上で接続管理−アイドル状態にありかつ非３ＧＰＰアクセス上で接続管理−接続状態にある、ステップと、３ＧＰＰアクセス上で、少なくとも１つの第１のプロセッサによって、サービスリクエストメッセージを受信するステップとを実行させるためのコンピュータ可読命令を含む。
【００４２】
一実施形態では、コンピュータプログラムは、装置に、少なくとも以下の、ネットワークノードの少なくとも１つの第１のプロセッサによって、ショートメッセージサービスのメッセージが複数のアクセスタイプを介してユーザ機器に配信可能であることを示す登録リクエストを受信するステップと、少なくとも１つの第１のプロセッサによって、ショートメッセージサービスのメッセージが複数のアクセスタイプを介して配信されることが許可されることを確認する登録受入れメッセージを送信するステップとを実行させるためのコンピュータ可読命令を含む。
【００４３】
一実施形態では、コンピュータプログラムは、装置に、少なくとも以下の、第３世代パートナーシッププロジェクト（３ＧＰＰ）アクセス上で、ユーザ機器の少なくとも１つの第１のプロセッサによって、非３ＧＰＰアクセスに関する通知メッセージを受信するステップであって、ユーザ機器が通信ネットワークに３ＧＰＰアクセスを介して及び非３ＧＰＰアクセスを介して同時に登録され、ユーザ機器は非３ＧＰＰアクセス上で接続管理−アイドル状態にある、ステップを実行させるためのコンピュータ可読命令を含む。
【００４４】
一実施形態では、コンピュータプログラムは、装置に、少なくとも以下の、非第３世代パートナーシッププロジェクト（３ＧＰＰ）アクセス上で、ユーザ機器の少なくとも１つの第１のプロセッサによって、３ＧＰＰアクセスに関する通知メッセージを受信するステップであって、ユーザ機器が通信ネットワークに３ＧＰＰアクセスを介して及び非３ＧＰＰアクセスを介して同時に登録され、前記ユーザ機器が３ＧＰＰアクセス上で接続管理−アイドル状態にありかつ非３ＧＰＰアクセス上で接続管理−接続状態にある、ステップと、３ＧＰＰアクセス上で、少なくとも１つの第１のプロセッサによって、サービスリクエストメッセージを送信するステップとを実行させるためのコンピュータ可読命令を含む。
【００４５】
一実施形態では、コンピュータプログラムは、装置に、少なくとも以下の、ユーザ機器の少なくとも１つの第１のプロセッサによって、ショートメッセージサービスのメッセージが複数のアクセスタイプを介してユーザ機器に配信可能であることを示す登録リクエストを送信するステップと、少なくとも１つの第１のプロセッサによって、ショートメッセージサービスのメッセージが複数のアクセスタイプを介して配信されることが許可されることを確認する登録受入れメッセージを受信するステップとを実行させるためのコンピュータ可読命令を含む。
【図面の簡単な説明】
【００４６】
【図１】図１は、例示の実施形態によるネットワークノードを示す。
【図２】図２は、例示の実施形態によるセッション管理手順の方法のための通信図を示す。
【図３】図３は、例示の実施形態による他のセッション管理手順の方法のための通信図を示す。
【図４】図４は、例示の実施形態によるショートメッセージサービスのための登録手順の方法のための通信図を示す。
【図５】図５は、例示の実施形態によるユーザ機器（ＵＥ）のアクティビティ手順の方法のための通信図を示す。
【図６】図６は、例示の実施形態による非３ＧＰＰアクセスのための非アクセス層上でのユーザ機器（ＵＥ）のショートメッセージサービス手順の方法のための通信図を示す。
【発明を実施するための形態】
【００４７】
例示の実施形態は種々の変形例及び代替形態を可能とするが、その実施形態は図面において例として示され、ここに詳細に記載される。ただし、例示の実施形態を開示される特定の形態に限定する意図はなく、逆に、例示の実施形態は特許請求の範囲内のものとなる全ての変形例、均等物及び代替例を包含することが理解されるべきである。図面の記載を通じて、同様の符号は、同様の要素に言及する。
【００４８】
種々の要素を説明するのに第１、第２などの用語がここで使用され得るが、これらの要素はこれらの用語によって限定されるべきではない。これらの用語は、要素同士を区別するのに使用されるにすぎない。例えば、本開示の範囲から離れることなく、第１の要素は第２の要素と用語付けされてもよいし、同様に、第２の要素が第１の要素と用語付けされてもよい。ここに使用される用語「及び／又は」は、関連する列挙項目の１以上の任意かつ全ての組合せを含む。
【００４９】
ある要素が他の要素に「接続」又は「結合」されているものとして言及される場合、それが他の要素に直接接続又は結合されることもあれば、介在要素が存在することもある。これに対して、ある要素が他の要素に「直接接続」又は「直接結合」されているものとして言及される場合、介在要素は存在しない。要素間の関係を説明するのに用いられる他の文言も、同様の態様で解釈されるべきである（例えば、「間に」に対して「直接間に」、「隣接する」に対して「直接隣接する」など）。
【００５０】
ここで使用される専門用語は、特定の実施形態のみを説明する目的のためのものであり、限定するようには意図されていない。ここで使用されるように、単数形「ａ」、「ａｎ」及び「ｔｈｅ」は、文脈が明らかにそれ以外を示さない場合には、複数形も同様に含むことが意図される。用語「備える」、「備えた」、「含む」及び／又は「含んだ」は、ここで使用される場合、記載される構成、完全体、ステップ、動作、要素及び／又は構成要素の存在を指定するものであり、１以上の他の構成、完全体、ステップ、動作、要素、構成要素及び／又はそれらの群の存在又は付加を除外するものではないことがさらに理解される。
【００５１】
幾つかの代替の実施例では、記載される機能性／作用は、図面に記載される順序以外で起こり得ることも注記すべきである。例えば、連続して示された２つの図面は、実際には、付随する機能／作用に応じて、実質的に同時に実行されてもよいし、逆の順序で実行されることがあってもよい。
【００５２】
具体的詳細が、例示の実施形態の完全な理解を与えるために説明において与えられる。ただし、例示の実施形態はこれらの具体的詳細なしに実施され得るものであることが当業者には理解されるはずである。例えば、例示の実施形態を不要な詳細で不明瞭にしないようにするために、システムがブロック図で示され得る。他の事例では、周知の処理、構造及び技術は、例示の実施形態を不明瞭することを回避するために、不要な詳細なしに示され得る。
【００５３】
ここに記載されるように、説明的な実施形態は、特定のタスクを実行し又は特定の抽象データタイプを実施するルーチン、プログラム、オブジェクト、コンポーネント、データ構造体などをプログラムモジュール又は機能的処理が含むものとして実施され得る作用及び動作の（例えば、フローチャート、フロー図、データフロー図、構造図、ブロック図などの形態での）記号的表現を参照して説明されるものであり、例えば、既存のエンドポイント、クライアント、ゲートウェイ、ノード、エージェント、コントローラ、コンピュータ、クラウドベースのサーバ、ウェブサーバ、プロキシ又はプロキシサーバ、アプリケーションサーバなどにおける既存のハードウェアを用いて実施され得る。後述するように、そのような既存のハードウェアは、特に、１以上の中央処理装置（ＣＰＵ）、システムオンチップ（ＳＯＣ）デバイス、デジタル信号プロセッサ（ＤＳＰ）、特定用途向け集積回路、フィールドプログラマブルゲートアレイ（ＦＰＧＡ）コンピュータなどを含み得る。
【００５４】
フローチャート又は通信フロー図は動作を逐次処理として記載することもあるが、動作の多くは並列に、同時発生的に、又は同時に実行され得る。さらに、動作の順序は、並べ替えられてもよい。処理は、その動作が完了すると終了され得るが、図面に含まれない追加のステップを有していてもよい。処理は、方法、機能、手順、サブルーチン、サブプログラムなどに対応し得る。処理が機能に対応する場合、その終了は、機能が呼出し中の機能又は主機能に戻ることに対応し得る。
【００５５】
ここに開示されるように、用語「記憶媒体」、「コンピュータ可読記憶媒体」又は「非一時的コンピュータ可読記憶媒体」は、読み出し専用メモリ（ＲＯＭ）、ランダムアクセスメモリ（ＲＡＭ）、磁気ＲＡＭ、コアメモリ、磁気ディスク記憶媒体、光学記憶媒体、フラッシュメモリデバイス及び／又は情報を記憶するための他の有体機械可読媒体を含むデータを記憶するための１以上のデバイスを表し得る。用語「コンピュータ可読媒体」は、これに限定されないが、可搬又は固定の記憶デバイス、光学記憶デバイス、並びに命令及び／若しくはデータを記憶、収容又は搬送することができる他の種々の媒体を含み得る。
【００５６】
またさらに、例示の実施形態は、ハードウェア、ソフトウェア、ファームウェア、ミドルウェア、マイクロコード、ハードウェア記述言語又はこれらの任意の組合せによって実施され得る。ソフトウェア、ファームウェア、ミドルウェア又はマイクロコードで実施される場合、必要なタスクを実行するプログラムコード又はコードセグメントは、コンピュータ可読記憶媒体などの機械又はコンピュータ可読媒体に記憶され得る。ソフトウェアで実施される場合、単数のプロセッサ又は複数のプロセッサが必要なタスクを実行することになる。
【００５７】
コードセグメントは、手順、機能、サブプログラム、プログラム、ルーチン、サブルーチン、モジュール、ソフトウェアパッケージ、クラス又は命令、データ構造体若しくはプログラムステートメントの任意の組合せを表し得る。コードセグメントは、情報、データ、引数、パラメータ、又はメモリの内容を伝達及び／又は受信することによって他のコードセグメント又はハードウェア回路に結合され得る。情報、引数、パラメータ、データなどは、メモリ共有、メッセージ伝達、トークン伝達、ネットワーク伝送などを含む任意の適切な手段を介して伝達、転送又は送信され得る。
【００５８】
ここで使用される用語「含んだ」及び／又は「有する」は、「備えた」（すなわち、オープンランゲージ）として定義される。ここで使用される用語「結合される」は、「接続される」と定義されるが、必ずしも直接に接続され、及び必ずしも機械的に接続されることではない。文言「示す」（例えば、「示す」及び「表示」）から派生する専門用語は、示されているオブジェクト／情報を通信又は参照するために利用可能な全ての種々の技術を包含することが意図されている。示されているオブジェクト／情報を通信又は参照するために利用可能な技術の幾つかの、ただし全てではない例は、示されているオブジェクト／情報の搬送、示されているオブジェクト／情報の識別子の搬送、示されているオブジェクト／情報を生成するのに使用される情報の搬送、示されているオブジェクト／情報のある箇所又は部分の搬送、示されているオブジェクト／情報の幾つかの派生物の搬送、及び示されているオブジェクト／情報を表す幾つかのシンボルの搬送を含む。
【００５９】
例示の実施形態によると、クライアント、ゲートウェイ、ノード、エージェント、コントローラ、コンピュータ、クラウドベースのサーバ、ウェブサーバ、アプリケーションサーバ、プロキシ又はプロキシサーバなどは、ハードウェア、ファームウェア、ソフトウェアを実行するハードウェア又はこれらの任意の組合せであり得る（又はそれを含み得る）。そのようなハードウェアは、ここに記載される機能、その他それらの要素の他の任意の周知の機能を実行する特殊用途機械として構成された１以上の中央処理装置（ＣＰＵ）、システムオンチップ（ＳＯＣ）デバイス、デジタル信号プロセッサ（ＤＳＰ）、特定用途向け集積回路（ＡＳＩＣ）、フィールドプログラマブルゲートアレイ（ＦＰＧＡ）コンピュータなどを含み得る。少なくとも幾つかの場合では、ＣＰＵ、ＳＯＣ、ＤＳＰ、ＡＳＩＣ及びＦＰＧＡは、一般に、回路、プロセッサ及び／又はマイクロプロセッサを処理するものとして言及され得る。
【００６０】
エンドポイント、クライアント、ゲートウェイ、ノード、エージェント、コントローラ、コンピュータ、クラウドベースのサーバ、ウェブサーバ、アプリケーションサーバ、プロキシ又はプロキシサーバなどは、１以上のアンテナ、コンピュータ可読媒体及び（選択的に）表示デバイスに接続された１以上の送信機／受信機を含む種々のインターフェースも含み得る。１以上のインターフェースは、データ又は制御信号をスイッチ、ゲートウェイ、終端ノード、コントローラ、サーバ、クライアントなどのような１以上のネットワーク要素に／からそれぞれのデータ及び制御プレーン又はインターフェースを介して（有線及び／又は無線で）送信／受信するように構成され得る。
【００６１】
利点、他の効果、及び課題に対する解決手段が、本発明の具体的実施形態に関して上述された。ただし、その利点、効果、課題に対する解決手段、及びそのような利点、効果若しくは解決手段をもたらし若しくはそれに帰着し、又はそのような利点、効果若しくは解決手段をより顕著なものとし得るいずれの要素も、いずれか又は全ての請求項の重要な、必要な又は必須の構成又は要素として解釈されてはならない。
【００６２】
例示の実施形態は、以下の（これは例示の列挙にすぎない）：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ（登録商標））、Ａｄｖａｎｃｅ  Ｍｏｂｉｌｅ  Ｐｈｏｎｅ  Ｓｅｒｖｉｃｅ（ＡＭＰＳ）システム、Ｎａｒｒｏｗｂａｎｄ  ＡＭＰＳシステム（ＮＡＭＰＳ）、Ｔｏｔａｌ  Ａｃｃｅｓｓ  Ｃｏｍｍｕｎｉｃａｔｉｏｎｓ  Ｓｙｓｔｅｍ（ＴＡＣＳ）、Ｐｅｒｓｏｎａｌ  Ｄｉｇｉｔａｌ  Ｃｅｌｌｕｌａｒ（ＰＤＣ）システム、Ｕｎｉｔｅｄ  Ｓｔａｔｅｓ  Ｄｉｇｉｔａｌ  Ｃｅｌｌｕｌａｒ（ＵＳＤＣ）システム、ＥＩＡ／ＴＩＡ  ＩＳ−９５において記述される符号分割多重アクセス（ＣＤＭＡ）システム、Ｈｉｇｈ  Ｒａｔｅ  Ｐａｃｋｅｔ  Ｄａｔａ（ＨＲＰＤ）システム、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）、Ｕｌｔｒａ  Ｍｏｂｉｌｅ  Ｂｒｏａｄｂａｎｄ（ＵＭＢ）、第３世代パートナーシッププロジェクトＬＴＥ（３ＧＰＰ  ＬＴＥ）及び５Ｇネットワークのような種々の電気通信ネットワーク及びシステムとの関係で利用され得る。
【００６３】
一般的方法論
第５世代システム（５ＧＳ）によって、ユーザ機器（ＵＥ）が複数のアクセスネットワークを介して登録することが可能となる。そのタイプのアクセスネットワークは、第３世代パートナーシッププロジェクト（３ＧＰＰ）アクセスネットワーク及び非３ＧＰＰアクセスネットワークを含む。ＵＥが単一の地上波公共移動通信ネットワーク（ＰＬＭＮ）に複数のアクセスネットワークを介して登録される場合、第５世代コア（５ＧＣ）におけるＵＥのサービング機能は固有なものであるべきである。すなわち、３ＧＰＰアクセスネットワーク及び非３ＧＰＰアクセスネットワークの双方は同じアクセス及びモビリティ管理機能（３ＧＰＰ  ＴＳ２３．５０１において定義されるようなＡＭＦ）を選択すべきであり、この構成は（エボルブドパケットシェア（ＥＰＳ）ネットワークなどの）他の世代のモバイル通信システムとの重要な差異となる。ＥＰＳネットワーク内において、ＵＥが複数のアクセスネットワークを使用している場合、ＵＥはエボルブドパケットコア（ＥＰＣ）内で２つのサービング機能：３ＧＰＰアクセスネットワークの場合におけるＭＭＥ及び非３ＧＰＰ（信頼されない）アクセスネットワークの場合におけるエボルブドパケットデータゲートウェイ（ｅＰＤＧ）を有する必要がある。
【００６４】
５ＧＣ内では、ＵＥが複数のアクセスネットワークを介して登録されるシナリオにおいて、ＡＭＦは、５Ｇコアの他のネットワーク機能（ＮＦ）から受信されてＵＥを送信先とするダウンリンク（ＤＬ）メッセージを配信するのに適切なアクセスネットワークを使用しなければならない。
【００６５】
ＡＭＦは、ＵＥと他のネットワーク機能の間のＤＬメッセージ、例えば（非網羅的な記載）：ＳＭＦによって交換される非アクセス層（ＮＡＳ）セッション管理（ＳＭ）メッセージ、及びＳＭＳ機能（ＳＭＳＦ）によって交換されるショートメッセージサービス（ＳＭＳ）のメッセージを転送する責任を負う。以下を考慮することによってＤＬシグナリングが確実に適切なアクセス上で送信されるようにする必要がある：
Ｉ．シグナリングトランザクションが固有のアクセスによってサービングされるべきである、及び／又は
ＩＩ．ＵＥ及び通信ネットワークにおけるサービスポリシー。
【００６６】
例示の実施形態は、ＡＭＦ以外のエンティティによって決定される適切なアクセスネットワークを介してＳＭメッセージを配信し、ＡＭＦによって選択されたアクセスネットワークを介してＳＭＳメッセージを搬送する方法を提供する。
【００６７】
ＳＭメッセージの配信はデータサービスについて５ＧＳにおいてサポートされなければならず、これは５Ｇ内のユーザに対する最も重要なサービスの１つである。ＳＭＳメッセージの搬送は、ＳＭＳメッセージの交換について５ＧＳにおいてサポートされなければならない。ＳＭＳサービスが５Ｇにおける使用をそれでも有していることが想定される。
【００６８】
シナリオ１：非階層シグナリング（ＮＡＳ）ＳＭメッセージ
プロトコルデータユニット（ＰＤＵ）セッションは、ユーザ／オペレータポリシーによって、特定のアクセスネットワークを使用するように強いられることがある。これらのポリシーは、サブスクリプション／タリフ制約又はサービス配信ポリシーに関し得る（遅延などのサービス要件は、一例として３ＧＰＰアクセスなどの幾つかのアクセスネットワークにおいて充足され得るだけである）。
【００６９】
シナリオ２：ＳＭＳメッセージ
一方、異なる産業的見地が、ＳＭＳメッセージが所定のアクセスネットワークに関連付けられるべきか否かに存在する。その見地の１つは、ＡＭＦは単一のアクセスネットワークを関与させる登録手順中にＳＭＳＦからのＳＭＳ活性化サービスを呼び出すので、ＳＭメッセージは単一のアクセスネットワークのみを介して配信されるべきであるというものである。このシナリオでは、ＳＭＳメッセージが配信されるべきアクセスネットワークは、ＡＭＦではなく、ＵＥ及びＳＭＳＦによって選択される。他の産業的見地は、ＳＭＳメッセージの配信は必ずしもアクセスネットワークのユーザプレーンを含まないため、ＳＭＳメッセージの配信を転送するために任意のアクセスネットワークが選択され得るということである。このシナリオでは、ＳＭメッセージが配信されるアクセスネットワークは、ＵＥ及びＡＭＦによって選択されるべきである。
【００７０】
例示の実施形態において、ＡＭＦ以外のエンティティによって決定される適切なアクセスネットワークを介してＳＭメッセージを配信する方法が提供され、ここで、ＳＭＳメッセージはＡＭＦによって選択されるアクセスネットワークを介して搬送される。ＡＭＦ以外のエンティティによって決定されるアクセスネットワークを介してＳＭＳメッセージが配信されるシナリオは、ＡＭＦ以外のエンティティによって決定される適切なアクセスネットワークを介してＳＭメッセージが配信されるシナリオに適合し得る。またさらに、例示の実施形態は、他のタイプのメッセージ（例えば、位置サービスのメッセージ）に容易に拡張され得る。
【００７１】
構造的な例示の実施形態
図１は、例示の実施形態によるネットワークノード１０を示す。ネットワークノード１０は、図２〜５に示すように、ユーザ機器（ＵＥ）１０などの装置についての構造を含む。ただし、これと同じ構造が、ＡＭＦ２０、ＳＭＦ３０、ＳＭＳＦ４０などを含む図２〜５のネットワーク側電子デバイスにも適用可能である。図１に示すように、ネットワークノード１０は、プロセッサ（ＣＰＵ）１００、メモリ１１０、ネットワークインターフェース１２０及びバス１５０を含む処理デバイスである。処理デバイスは、簡明化のために記載されていない追加の構成要素を含み得ることが理解されるはずである。
【００７２】
プロセッサ１００は、これに限定されないが、中央処理装置（ＣＰＵ）、コントローラ、算術論理演算装置（ＡＬＵ）、デジタル信号プロセッサ、マイクロコンピュータ、フィールドプログラマブルゲートアレイ（ＦＰＧＡ）、特定用途向け集積回路（ＡＳＩＣ）、システムオンチップ（ＳｏＣ）、プログラマブル論理演算装置、マイクロプロセッサ、又は定義された態様で演算を実行することができる他の任意のデバイスであり得る。
【００７３】
メモリ１１０は、ランダムアクセスメモリ（ＲＡＭ）、読み出し専用メモリ（ＲＯＭ）及び／又はディスクドライブ若しくは固体ドライブなどの永久大容量記憶デバイスを一般に含むコンピュータ可読記憶媒体であり得る。メモリ１１０は、オペレーティングシステム及び処理デバイス１００の機能性を提供するための他の任意のルーチン／モジュール／アプリケーションも記憶する。これらのソフトウェア構成要素は、ドライブ機構（不図示）を用いて別個のコンピュータ可読記憶媒体からメモリ１１０に読み込まれてもよい。そのような別個のコンピュータ可読記憶媒体は、ディスク、テープ、ＤＶＤ／ＣＤ-ＲＯＭドライブ、メモリカード、又は他の同様のコンピュータ可読記憶媒体（不図示）を含み得る。ある例示の実施形態では、ソフトウェア構成要素は、コンピュータ可読記憶媒体を介してではなく、１以上のインターフェース（不図示）を介してメモリ１１０に読み込まれ得る。処理デバイスが２以上のメモリ及び２種以上のメモリを含んでいてもよいことが理解されるはずである。メモリ１１０は、登録の目的のためにプロセッサ１００によって実行されるべきコンピュータ可読命令のセットを含む登録モジュール（ＲＭ）１０５を有する。特に、ＲＭ１０５のこれらのコンピュータ可読命令は、ここに開示される方法のステップのいずれか又は全て、特に、図２〜５に関して記載される方法のステップのいずれか又は全てを実行するようにプロセッサ１００に命令する。
【００７４】
ネットワークインターフェース１２０は、無線又は有線で制御及びデータ信号を送信／受信するように１以上のアンテナ又は配線に接続された１以上の送信機／受信機（すなわち、送受信機）を含む種々のインターフェースを含み得る。送信機は、例えば、制御信号又はデータ信号を含む信号をネットワーク上の他のネットワーク要素に対する１以上の有線及び／又は無線接続を介して送信するためのハードウェア及びソフトウェアを含むデバイスであり得る。同様に、受信機は、例えば、制御信号又はデータ信号を含む信号をネットワーク上の他のネットワーク要素に対する１以上の有線及び／又は無線接続を介して受信するためのハードウェア及びソフトウェアを含むデバイスであり得る。
【００７５】
ある例示の実施形態では、処理デバイス（ネットワークノード）１０は、ここに記載される１以上のネットワーク側の機能／機能性など（例えば、ＡＭＦ、ＳＭＦなど）を実行するためにメモリ１１０に記憶されたコンピュータ可読命令を実行するように構成され得る。他の例示の実施形態では、処理デバイス１０は、ＵＥ１０の機能／機能性を実行するためにメモリ１１０に記憶されたコンピュータ可読命令を実行するように構成され得る。またさらに、種々の例示の実施形態の上記記載に基づいて、例示の実施形態はネットワーク側及び／又はユーザ機器側で実施され得ることが直ちに理解されるはずである。
【００７６】
方法の具体的な例示の実施形態
シナリオ１：非アクセス層（ＮＡＳ）ＳＭメッセージ
以下の前提が、このシナリオについて含まれる。
Ｉ．ＵＥと５ＧＣの間にこのアクセスを用いるシグナリング経路がある場合には、ＵＥはアクセス上で接続管理（ＣＭ）−接続される、と言われる。
ＩＩ．ＵＥは、非３ＧＰＰアクセス上ではページングできない。すなわち、ＵＥは、インターネット上ではページングできない。
ＩＩＩ．ＰＤＵセッション識別子はＰＤＵセッションを識別し、これはエボルブドパケットコア（ＥＰＣ）で使用されるパケットデータネットワーク（ＰＤＮ）接続の５ＧＣ等価物である。ＰＤＵセッションによって、ＵＥが５ＧＣを介したデータネットワークとの接続性を有することが可能となる。
【００７７】
一般に、ＡＭＦがアップリンク（ＵＬ）シグナリングを他のネットワーク機能（ＮＦ）に転送する場合、ＡＭＦはＵＥのアイデンティティ、その他このメッセージを受信するのに使用されるアクセスのアクセスタイプを示す。他のＮＦ（例えば、ＳＭＦ）は、確実に所与のトランザクションが同じアクセスにおいて完全に行われるようにする責任を負う（例えば、ＵＥがアクセスにおいてリクエストを出した場合、他のＮＦは確実にＵＥへのネットワークレスポンスが同じアクセスで送信されるようにする責任を負う）。
【００７８】
より具体的には、（ＵＥ及びＳＭＦなどの）セッション管理（ＳＭ）エンティティは、（例えば、ＵＥが複数のアクセスにおけるシグナリングに対して到達可能となる一方で、ＰＤＵセッションがユーザ／オペレータのポリシーによって特定のアクセスを使用するように強いられる場合）確実にＳＭメッセージが適切なアクセスネットワークを介して配信されるようにする責任を負う。
【００７９】
図２は、例示の実施形態によるセッション管理手順の方法のための通信図を示す。この方法は、図１のネットワークノード（処理デバイス）１０のプロセッサ１００によって実行されているものとして記載されるが、この記載の背景内で、プロセッサ１００の集合がこれらのステップを実行していることが理解されるべきである。すなわち、装置又はＵＥ１０、ＡＭＦ２０及びＳＭＦ３０の各々に対するプロセッサ１００が、この方法のステップをまとめて実行している。
【００８０】
ステップＳ２００において、ＵＥ１０及びＳＭＦ３０のプロセッサ１００同士が、ＰＤＵセッション確立手順及び／又は他のＳＭ手順（例えば、ＰＤＵセッション修正手順）を実行するために、ＰＤＵセッションが稼働し得るアクセスタイプに関連するポリシーをネゴシエートする。これは、特定のセットのアクセスタイプのみを許可するポリシー又は任意のアクセスタイプを許可するポリシーに対応し得る。
【００８１】
ＵＥ１０のプロセッサ１００は、ＳＭメッセージ（例えば、ＳＭ手順がＰＤＵセッション確立手順である場合のＰＤＵセッション確立リクエストメッセージ）において、ＰＤＵセッションが特定のセットのアクセスタイプを使用する（そして、それにより関連のＳＭシグナリングを交換する）ことが許可されるのか、又は任意のアクセス上で許可されるのかの表示を含み得る。対応するネットワークポリシーが、
ＩＡ．Ｎ１０（ＵＤＭ／ＳＭＦ間のインターフェース）上で送信されるサブスクリプションデータの一部としてＳＭＦに対する統一データ管理（ＵＤＭ）によって、及び／又は
ＩＢ．Ｎ７（ＰＣＦ／ＳＭＦ間のインターフェース）上で送信されるポリシー規則の一部としてＳＭＦに対するＰＣＦによって、
提供され得る。
【００８２】
ＳＭ手順中に、ＳＭＦ３０のプロセッサ１００は、ＵＥ１０のプロセッサ１００から受信された情報、統一データ管理（ＵＤＭ）及び／又はポリシー課金機能（ＰＣＦ）を考慮してＰＤＵセッションに対するポリシーを決定し、決定されたポリシーのＵＥ１０のプロセッサ１００に示してもよい。
【００８３】
ステップＳ２０２において、ＡＭＦ２０のプロセッサ１００がＵＬメッセージをＵＥ１０からＳＭＦ３０に転送する機会がある場合、プロセッサ１００は、ＵＥ１０のアイデンティティ、その他このメッセージが受信されたアクセスのアクセスタイプの通知とともにＵＥ１０からのＵＬメッセージをＳＭＦ３０に提供する。
【００８４】
ステップＳ２０４において、ＳＭＦ３０のプロセッサ１００がＤＬメッセージをＵＥ１０に送信すること又はＰＤＵセッションを（ＡＮへのＮ２リクエストを介して）活性化／無効化することを必要とする場合、ＳＭＦ３０のプロセッサ１００は、使用する適切なアクセスタイプを特定し、それは、例えば、以下によって制約を受ける。
ＩＩＡ．（ＤＬメッセージがＵＬメッセージに対するレスポンスである場合）対応するＵＬメッセージが受信されたアクセス
ＩＩＢ．ＵＥ１０とネゴシエートされたアクセスポリシー（例えば、ＰＤＵセッション確立で）
【００８５】
ステップＳ２０４において、ＳＭＦ３０のプロセッサ１００は、Ｎ１１（ＡＭＦ／ＳＭＦ間のインターフェース）リクエストを、以下を含み得るＡＭＦに向けて送信する。
ＩＩＩＡ．ＵＥ１０のアイデンティティ及び「アクセスタイプ要件」、すなわち、ＵＥ１０に到達するのに用いるアクセスタイプにおける制約への言及であり、例えば、固有のアクセスタイプ、（優先され得る）許可されたアクセスタイプのセット、又は使用され得るアクセスタイプにおける制約がないことを示す。
ＩＩＩＢ．選択的に、ＵＥ１０に転送されるべきＮ１（ＵＥ／ＡＭＦ間のインターフェース）ＳＭメッセージ
ＩＩＩＣ．選択的に、ＰＤＵセッションを活性化／無効化するＡＮに転送されるべきＮ２リクエスト
【００８６】
ステップＳ２０６ａにおいて、Ｎ１１リクエストにおいて許可されるものとして示され又は示唆されたアクセスタイプの１つにおいてＵＥ１０が既にＣＭ接続されている場合（これは、通信チャネルがそのアクセスにおけるＵＥ１０によってセットアップされることを意味する）、ＡＭＦはこのアクセスを介してＤＬ  Ｎ１メッセージを配信する。利用可能な（すなわち、Ｎ１１リクエストメッセージによって許可され、それによってＵＥが接続される）複数のアクセスネットワークがある場合、ＡＭＦ３０は構成された情報、例えば、ネットワークポリシーに従ってアクセスネットワークを選択する。
【００８７】
ステップＳ２０６ｂにおいて、Ｎ１１リクエストにおいて許可されるものとして示され又は示唆されたアクセスタイプの１つ（又はそれ以上）においてＡＭＦ２０のプロセッサ１００がＵＥ１０をページングできる場合、ＡＭＦ２０のプロセッサ１００はそのようなアクセスにおいてＵＥ１０をページングし、ＵＥ１０がＣＭ接続されると、このアクセスを介してＤＬ  Ｎ１メッセージ又はＮ２リクエストを配信する。
【００８８】
ステップＳ２０６ｃにおいて、Ｎ１１リクエストにおいて許可されるものとして示され又は示唆されたアクセスタイプを介してＡＭＦ２０のプロセッサ１００がＵＥ１０にアクセスできない場合、ＡＭＦ２０のプロセッサ１００は、Ｎ１１リクエストにおいて許可されるものとして示されない又は示唆されないアクセスにおいて（例えば、以下のステップＶ．Ａにおいて説明するようにページングによって、又は以下のステップＶ．Ｂにおいて説明するようにＮＡＳによって）ＵＥ１０に通知することを試行することができる。
【００８９】
ステップＳ２０８において、ＵＥ１０のプロセッサ１００は、ステップ２０６ｃにおける通知メッセージを受信すると、その後、対応するＰＤＵセッションについて許可されるように、ＳＭＦと以前にネゴシエートされたアクセス上でＣＭ接続されるようになる。
【００９０】
ステップＳ２１０において、その後、ＡＭＦは、許可されたアクセスタイプを介してＤＬ  ＳＭメッセージ又はユーザデータを送信することができる。
【００９１】
ある例示の実施形態では、下記のように、以下が実施され得る。
【００９２】
ステップＳ２０６ｃにおいて、ＵＥ１０が非３ＧＰＰアクセス上でＣＭ接続されず、ＤＬトラフィックが３ＧＰＰアクセス上で許可されないＰＤＵセッションに対して到着するシナリオがある。
【００９３】
ＶＡ．一実施形態では、３ＧＰＰアクセス上でＵＥ１０をページングし、ＵＥ１０のプロセッサ１００に何故かを示すことができる（例えば、ＰＤＵセッションＩｄ＝ＰＤＵセッションの識別子を提供する）。このページングは、ＰＤＵセッションＩｄを含むことができ、（ステップＳ２０８に示すように、ＵＥがこのＰＤＵセッションＩｄに対して３ＧＰＰアクセスを用いることをポリシーが制限する場合）ＵＥ１０が非３ＧＰＰ上でＣＭ接続となることを誘発し得る。
【００９４】
ＶＢ．３ＧＰＰアクセス上でＣＭ接続されたＵＥ、ここではＵＥ１０が既にＣＭ接続されているのでページングされることができない。このシナリオでは、ネットワークは、ＮＡＳシグナリングメッセージを３ＧＰＰアクセス上で送信する。メッセージは、他のアクセス上でＵＥ１０がＣＭ接続されることを命令するようなものであり得る（ステップＳ２０８に示すように、理由＝ＰＤＵセッションＩｄを示す）。
【００９５】
図３は、例示の実施形態による他のセッション管理手順の方法のための通信図を示す。この方法は、図１のネットワークノード（処理デバイス）１０のプロセッサ１００によって実行されるものとして記載されるが、この記載の背景内で、プロセッサ１００の集合がこれらのステップを実行していることが理解されるべきである。すなわち、装置又はＵＥ１０、ＡＭＦ２０及びＳＭＦ３０の各々に対するプロセッサ１００が、この方法のステップをまとめて実行している。
【００９６】
ステップＳ３００において、ＰＤＵセッション確立手順中に、ＡＭＦ２０のプロセッサ１００は、Ｎ２を介してアクセス技術タイプ情報を受信し、ＵＥ１０からＰＤＵセッションＩＤを受信する。ＡＭＦ２０のプロセッサ１００は、アクセス技術タイプ情報をＰＤＵセッションＩＤに関連付けることができる。
【００９７】
ステップＳ３０２において、ＳＭＦ３０のプロセッサ１００が、ＵＥ１０に転送されるべきＳＭメッセージを含むＮ１１メッセージをＡＭＦ２０に向けて送信し得る。さらに、Ｎ１１メッセージは、ＰＤＵセッションＩＤをさらに含み得る。
【００９８】
ステップＳ３０２において、ＰＤＵセッションＩＤがＮ１１メッセージに含まれる場合、ＡＭＦ２０のプロセッサ１００は、アクセス技術タイプ情報と（ＰＤＵセッション確立手順中に作成された）ＰＤＵセッションＩＤとの間の関連情報を検索し、関連情報によるアクセスネットワークを選択しなければならない（例えば、ＰＤＵセッションＩＤが３ＧＰＰアクセスネットワークに関連付けられる場合にはＳＭメッセージは３ＧＰＰアクセスネットワークを介して送信され、逆に、ＰＤＵセッションＩＤが非３ＧＰＰアクセスネットワークに関連付けられる場合にはＳＭメッセージは非３ＧＰＰアクセスネットワークを介して送信される）。
【００９９】
上記例示の実施形態は、ＳＭ以外の他のタイプのメッセージ（例えば、位置サービスのメッセージ）に拡張可能である。
【０１００】
シナリオ２：ＳＭＳメッセージ
図４は、例示の実施形態によるショートメッセージサービスのための登録手順の方法のための通信図を示す。この方法は、図１のネットワークノード（処理デバイス）１０のプロセッサ１００によって実行されるものとして記載されるが、この記載の背景内で、プロセッサ１００の集合がこれらのステップを実行していることが理解されるべきである。すなわち、装置又はＵＥ１０、ＡＭＦ２０、ＳＭＳＦ４０及びＵＤＭ５０の各々に対するプロセッサ１００が、この方法のステップをまとめて実行している。
【０１０１】
ステップＳ４００において、ＮＡＳ搬送上でＳＭＳを有効化するために、ＵＥ１０のプロセッサ１００は、「ＳＭＳ被サポート」表示を登録リクエストメッセージに含め、非アクセス層（ＮＡＳ）搬送上でＳＭＳのためのＵＥ１０の能力を示す。さらに、ＵＥ１０のプロセッサ１００は、ＳＭＳメッセージがＵＥ１０に複数のアクセスネットワーク上で送信可能であることを示す。
【０１０２】
ステップＳ４０２において、ＡＭＦ２０のプロセッサ１００は、ＵＤＭ５０のプロセッサ１００とともに更新位置手順を実行する。「ＳＭＳ被サポート」表示が登録リクエストメッセージに含まれる場合、ＡＭＦ２０のプロセッサ１００は、ＳＭＳサービスがＵＥ１０に許可されるか否かについて、ＵＥ１０に対するＵＤＭ５０からのＳＭＳサブスクリプションを確認する。肯定の場合、ＡＭＦ２０のプロセッサ１００は、ＵＥ１０をサービングするＳＭＳＦ４０を発見及び選択する。
【０１０３】
ステップＳ４０４において、ＡＭＦ２０のプロセッサ１００がＳＭＳＦを選択した場合、ＡＭＦ２０のプロセッサ１００はＵＥ１０に対する「ＳＭＳ被サポート」表示を登録受入れメッセージに含める。それ以外の場合、ステップＳ４０６において、ＡＭＦ２０のプロセッサ１００が選択ＳＭＳＦ４０から肯定的な表示を受信したステップＳ４１０の後にのみ、ＡＭＦ２０のプロセッサ１００はＵＥ１０に対する「ＳＭＳ被サポート」表示を登録受入れメッセージに含める。
【０１０４】
（ステップＳ４０４又はＳ４１２において送信された）登録受入れメッセージは、複数のアクセスネットワークを介するＳＭＳメッセージ配信が許可されるか否かを確認し得る。
【０１０５】
複数のアクセスネットワークを介するＳＭＳメッセージ配信がＵＥ１０によって示されてＡＭＦ２０によって受け入れられる場合、ＡＭＦ２０のプロセッサ１００はＤＬ  ＳＭＳメッセージを配信するアクセスネットワークを選択する。ＡＭＦ２０のプロセッサ１００は、アクセスネットワークの各々についてＣＭ状態を考慮し得る。
【０１０６】
一方、複数のアクセスネットワークを介するＳＭＳメッセージ配信が許可されないか又はＵＥ１０によって要求されない場合、ＡＭＦ２０は、ＮＡＳ上でのＳＭＳについての登録手順が行われるアクセスネットワークを介してＤＬ  ＳＭＳメッセージが確実に配信されるようにしなければならない。
【０１０７】
ステップＳ４０６において、ＡＭＦ２０のプロセッサ１００は、ＳＭＳＦ４０からのＳＭＳ活性化サービスを呼び出す。リクエストは、ＡＭＦ２０のアドレス及びサブスクリプション永久識別子（ＳＵＰＩ）を含む。ＡＭＦ２０のプロセッサ１００は、ステップＳ４０２からＳＭＳＦ４０のアドレスを用いる。
【０１０８】
ステップＳ４０６において、ＳＭＳＦ４０のプロセッサ１００は、ＵＤＭとの更新位置手順を有するＳＭＳ関連サブスクリプションを検索する。ＳＭＳＦ４０のプロセッサ１００はまた、ＳＭＳサブスクリプション情報及びこのＵＥ１０をサービングしているＡＭＦ２０のアドレスを記憶するＵＥ１０のコンテキストを作成する。ＵＤＭは、ショートメッセージ終端ルーティングのためのＳＭＳＦ４０のアドレスを記憶する。
【０１０９】
ステップＳ４１０において、ＳＭＳＦ４０のプロセッサ１００は、レスポンスメッセージによってＡＭＦ２０に返答する。ＡＭＦ２０のプロセッサ１００は、ＵＥ１０のコンテキストの一部として受信されたＳＭＳＦ４０のアドレスを記憶する。
【０１１０】
図５は、例示の実施形態によるユーザ機器（ＵＥ）１０のアクティビティ手順の方法のための通信図を示す。この方法は、図１のネットワークノード（処理デバイス）１０のプロセッサ１００によって実行されるものとして記載されるが、この記載の背景内で、プロセッサ１００の集合がこれらのステップを実行していることが理解されるべきである。すなわち、装置又はＵＥ１０、ＡＭＦ２０、ＳＭＳＦ４０及びアクセスノード（ＡＮ）６０の各々に対するプロセッサ１００が、この方法のステップをまとめて実行している。
【０１１１】
ステップＳ５００において、ＡＭＦ２０は、ＵＥ１０の到達可能性に関する表示、例えば、ＵＥ１０のプロセッサ１００からの登録リクエスト又はサービスリクエストメッセージ又はアクセスネットワークからのＵＥ１０の到達可能性表示を受信する。
【０１１２】
ステップＳ５０２において、ＡＭＦ２０がＵＥ１０のモビリティ管理（ＭＭ）コンテキストを含む場合、及びそのＵＥ１０に対するＡＭＦについてのＵＥ到達可能性リクエストパラメータ（ＵＲＲＰ−ＡＭＦ）がＵＥ１０は到達可能であることを１回報告するように構成される場合、ＡＭＦ２０のプロセッサ１００は、ＵＥアクティビティ通知（永久ＩＤ、ＵＥ到達可能）メッセージをＳＭＳＦ４０に送信しなければならず、そのＵＥ１０に対する対応のＵＲＲＰ−ＡＭＦを解除する。
【０１１３】
複数のアクセスネットワークを介するＳＭＳメッセージ配信がＵＥ１０によって示され、ＮＡＳ上でＳＭＳについての登録手順中にＡＭＦ２０のプロセッサ１００によって受け入れられる場合、ＡＭＦ２０のプロセッサ１００は（ステップＳ５００ａ／Ｓ５００ｂに示すように）ＵＥ１０が到達可能か否かについて複数のアクセスネットワーク（ＡＮ）６０のＣＭ状態を考慮しなければならない。
【０１１４】
図６は、例示の実施形態による非３ＧＰＰアクセスのための非アクセス層上でのユーザ機器（ＵＥ）のショートメッセージサービス手順の方法のための通信図を示す。この方法は、図１のネットワークノード（処理デバイス）１０のプロセッサ１００によって実行されるものとして記載されるが、この記載の背景内で、プロセッサ１００の集合がこれらのステップを実行していることが理解されるべきである。すなわち、装置又はＵＥ１０、ＡＭＦ２０、ＳＭＳＦ４０、ショートメッセージサービス・ゲートウェイモバイル交換センタ（ＳＭＳ−ＧＭＳＣ）７０、交換センタ（ＳＣ）８０及びＵＤＭ９０の各々に対するプロセッサ１００が、この方法のステップをまとめて実行している。
【０１１５】
ステップＳ６００、Ｓ６０２及びＳ６０４において、ＵＥ（モバイル端末、すなわちＭＴ）１０のプロセッサ１００によるＳＣ８０／ＳＭＳ−ＧＭＳＣ７０／ＵＤＭ９０間のＳＭＳインタラクションは、３ＧＰＰ  ＴＳ２３．０４０において定義された手順に従う。
【０１１６】
ステップＳ６０６において、ＳＭＳＦ４０のプロセッサ１００は、ＳＭＳページングリクエストをＡＭＦ２０にＮ２０を介して送信する。ＳＭＳメッセージは、ＵＥ１０のＩＤ及びＳＭＳ−ＭＴ表示を含む。
【０１１７】
ステップＳ６０８において、ＡＭＦ２０のプロセッサ１００は、オペレータポリシー及び／又は「ＳＭＳ被サポート」表示に基づいてＭＴ−ＳＭＳを搬送するアクセスネットワークを決定する（例えば、「ＳＭＳ被サポート」表示が登録受入れメッセージを介して送信され、オペレータがＳＭＳをＵＥが登録を行ったものとは異なるアクセスを介して送信することを許可する場合、ＵＥ１０は３ＧＰＰアクセスにおいてＣＭアイドルである場合に非３ＧＰＰアクセスを選択するなど）。
【０１１８】
ステップＳ６１０、Ｓ６１２及びＳ６１４において、ＵＥ１０のプロセッサ１００は、係属中のＭＴ−ＳＭＳを通知され、サービスリクエスト手順を実行し、ＳＭＳ関連メッセージを５ＧＣと交換する。
【０１１９】
上述の例示の実施形態に基づいて、幾つかの例示の実施形態がフローチャートに図示される処理又は方法として記載されることが注記される。フローチャートは逐次処理として動作を記載するが、動作の多くは、並列に、同時発生的に、又は同時に実行され得る。さらに、動作の順序は、並べ替えられてもよい。処理は、それらの動作が完了すると終了され得るが、図面に含まれない追加のステップを有していてもよい。処理は、方法、機能、手順、サブルーチン、サブプログラムなどに対応し得る。
【０１２０】
その幾つかがフローチャートによって示される上記方法は、ハードウェア、ソフトウェア、ファームウェア、ミドルウェア、マイクロコード、ハードウェア記述言語又はそれらのいずれかの組合せによって実施され得る。ソフトウェア、ファームウェア、ミドルウェア又はマイクロコードで実施される場合、必要なタスクを実行するプログラムコード又はコードセグメントは、記憶媒体、非一時的記憶媒体などの機械又はコンピュータ可読媒体に記憶され得る。プロセッサは、必要なタスクを実行し得る。
【０１２１】
ここに開示される具体的な構造的及び機能的詳細は、例示の実施形態を説明する目的のための代表例にすぎない。一方、本発明は、多数の代替形態で具現化され得るものであり、ここに説明した実施形態のみに限定されるものとして解釈されるべきではない。
【０１２２】
例示の実施形態がこのようにして説明されたが、それは多数の態様に変形され得ることは明らかなはずである。そのような変形例は、例示の実施形態の意図される趣旨及び範囲から離れるものとみなされてはならず、全てのそのような変形は、当業者には明らかとなるように、以降の特許請求の範囲内に含まれることが意図されている。
【図１】
0006924850.tif 000002
【図２】
0006924850.tif 000003
【図３】
0006924850.tif 000004
【図４】
0006924850.tif 000005
【図５】
0006924850.tif 000006
【図６】
0006924850.tif 000007